(57)【要約】【課題】連動式引戸装置において、引戸上でワイヤーを巻装するとき、ワイヤーの端部を容易且つ常に確実に締着するワイヤー用締着金具を提供する。【解決手段】ワイヤー用締着金具Ｒは、ワイヤー３０の端部を２つ重ねて挿通させるワイヤー貫通穴３５ａと、ワイヤー貫通穴に対し直交する向きに穿設してそれと連通した雌ねじ穴３５ｂを有する連結管３５と、連結管の雌ねじ穴３５ｂと対応する雄ねじ部４０ａを外周に螺刻し、ねじ基端部４０ｂに、六角レンチ４５の先端を嵌着させる断面六角形の嵌合穴４０ｃを有する締付ねじ４０とで構成する。使用時は、引戸上でワイヤーを巻装するとき、引戸の大きさに合わせて長さ調整しながら、ワイヤーの一端部を、連結管のワイヤー挿通穴に２つ重ねて挿通し、締付ねじの嵌合穴に六角レンチ４５の先端を嵌着して雌ねじ穴に締付ねじを捩じ込んでワイヤーの端部を締着する。【選択図】        図１
2005009257.tif 000002
【特許請求の範囲】
【請求項１】
引戸の上端部に往復回動可能に巻装した有端状のワイヤーを用いて複数枚の引戸を順次連動的に開閉移動させる連動式引戸装置に備えた、ワイヤー用締着金具であって、
前記ワイヤーの端部を２つ重ねて挿通させるワイヤー貫通穴と、該ワイヤー貫通穴に対し直交する向きに穿設してそれと連通した雌ねじ穴を有する連結管と、
その連結管の雌ねじ穴と対応する雄ねじ部を外周に螺刻すると共に、ねじ基端部に締付工具の先端を嵌着させる断面多角形状の嵌合穴を有する締付ねじと、
からなることを特徴とする連動式引戸装置のワイヤー用締着金具。
【発明の詳細な説明】
【０００１】
【発明の属する技術分野】本発明は、複数枚の引戸を順次連動的に開閉移動する連動式引戸装置に用いられるワイヤーの締着金具に関する。
【０００２】
【従来の技術】例えば２枚の引戸を備えた連動式引戸装置では、一般に、各引戸上の戸先側と戸尻側に戸車を備えた吊車体を搭載しているが、図４に示すように、壁寄り奥側の引戸１に搭載した吊車体２・３には、各々の取付プレート２ａ・３ａで戸車４を縦向きに軸支する一方、滑車５を横向きに軸支し、これら滑車５・５間に有端状ワイヤー６を往復回動可能に掛け回している。ワイヤー６は、両端部につくった環状の止め輪部分６ａを、壁側のまぐさ位置に固設したワイヤーリング７に掛け止めると共に、ワイヤー６の途中を、図示省略するが、手前側の引戸に取り付けたジョイントプレートで掴持することにより、２枚の引戸を連動可能に連結している。
【０００３】
そして、開閉時は、手前側の引戸を、引戸ガイドレール上に係合させた戸車を転動させながら開閉方向にスライドさせると、ワイヤー６を回動させながら、続いて奥側の引戸１が連動して開閉移動する構造なっている。
【０００４】
ところで、このような連動式引戸装置において、組み立て時、ワイヤー６は、両端の滑車５・５に巻き回し、引戸サイズに合わせて長さ調整しながら、従来のワイヤー締着金具であるアルミニウム管８に、一端部を２つ重ねて通して止め輪部分６ａをつくってから、止め輪部分６ａをワイヤーリング７に引っ掛ける。さらに、ワイヤー６が滑車５・５から外れないように引っ張りながら、アルミニウム管８の両側８ａを圧着ペンチ９などの圧着工具を用いて圧着し、圧着後は、余分なワイヤー部分６ｂを切り落している（図４中拡大図参照）。また、ワイヤー６の他端部も、同様な工程を経てアルミニウム管８を圧着ペンチ９等でカシメて締着している。
【０００５】
【発明が解決しようとする課題】ところが、従来、引戸１上でワイヤー６を巻装するために、ワイヤー６の端部を圧着ペンチ９等の圧着工具を使って締着するとき、弛んだワイヤー６が動きやすい状態の中で、細径なアルミニウム管８を比較的大きな圧着工具を用いてカシメるので、作業者の熟練度によっては、アルミニウム管８を正確な圧着位置で必要十分に潰し切れないことがある。その結果、ワイヤー６の端部がずれ動いてアルミニウム管８からすり抜けたり、止め輪部分６ａがワイヤーリング７から外れたりする不具合が多発するという課題があった。
【０００６】
そこで、本発明の目的は、上述のような連動式引戸装置において、引戸上でワイヤーを巻装するとき、ワイヤーの端部を容易且つ常に確実に締着するワイヤー用締着金具を提供することにある。
【０００７】
【課題を解決するための手段】したがって、請求項１に記載の発明は、上述した目的を達成すべく、たとえば以下に示す図示実施の形態のとおり、引戸Ａの上端部に往復回動可能に巻装した有端状のワイヤー３０を用いて複数枚の引戸Ａ・Ｂを順次連動的に開閉移動させる連動式引戸装置に備えた、ワイヤー用締着金具Ｒであって、前記ワイヤー３０の端部を２つ重ねて挿通させるワイヤー貫通穴３５ａと、該ワイヤー貫通穴３５ａに対し直交する向きに穿設してそれと連通した雌ねじ穴３５ｂを有する連結管３５と、その連結管３５の雌ねじ穴３５ｂと対応する雄ねじ部４０ａを外周に螺刻すると共に、ねじ基端部４０ｂに、六角レンチ４５のような締付工具の先端を嵌着させる断面多角形状の嵌合穴４０ｃを有する締付ねじ４０とからなることを特徴とする。
【０００８】
【発明の実施の形態】以下、図面を参照しつつ、本発明の実施の形態について説明する。
【０００９】
図２は、本発明のワイヤー用締着金具を備えた連動式引戸装置を示す斜視図である。図示例の連動式引戸装置は、２枚の引戸Ａ・Ｂを連動的にスライドさせて開口部Ｓを開閉する２連片引型吊戸装置で、壁Ｗ寄り奥側の引戸を第１引戸Ａ、手前の引戸を第２引戸Ｂとする。
【００１０】
第１引戸Ａには、上端面において、図２中左の戸先側と右の戸尻側に吊車体１０・１１を搭載し、第２引戸Ｂには、上端面の戸先側と戸尻側に吊車体１２・１３を搭載している。第１引戸Ａの吊車体１０・１１は、それぞれ引戸Ａの上端面に固着した取付プレート１４・１５上の片側に、戸車１６・１７を縦向きに軸支して組み付ける一方、他側に滑車１８・１９を横向きに軸支して組み付けている。他方、第２引戸Ｂの吊車体１２・１３には、それぞれ引戸Ｂの上端面に固着した取付プレート２０・２１上に、戸車２２・２３を縦向きに軸支して組み付けている。また、戸尻側の取付プレート２１には、図２中拡大して示すジョイントプレート２４をねし止めしている。ジョイントプレート２４は、Ｌ板状のアングル板２４ａに挟持板片２４ｂをねじ止めしてなる。なお、壁Ｗ側には、所定のまぐさ位置に、図２中拡大して示すようにローラ形状のワイヤーリング２５を止めねじ２６で固定している。ワイヤーリング２５には、外周面にワイヤー用の環状溝が形成されている。
【００１１】
また、図示引戸装置は、第１引戸Ａと第２引戸Ｂの上で有端状のワイヤー３０を巻装している。ワイヤー３０は、滑車１８・１９に巻き回し、手前側のワイヤー部分をジョイントプレート２４のアングル板２４ａと挟持板片２４ｂ間で挟持し、本発明のワイヤー締着金具Ｒを用いて形成した両端の止め輪部分３０ａ・３０ｂをワイヤーリング２５に掛け止めている。そして、ワイヤー３０を往復回動可能に巻装することにより、両引戸Ａ・Ｂを連動して往復移動可能に連結した構造になっている。
【００１２】
さらに、図示引戸装置では、第１引戸Ａは、戸車１６・１７を、戸枠Ｅの上部に固定した断面コ状のガイドレール２７に係合して開閉方向にスライド自在に吊持している。第２引戸Ｂは、戸車２２・２３をガイドレール２８に係合してスライド自在に吊持している。なお、図示引戸装置では、下部側に、開閉操作時に引戸Ａ・Ｂが各々横振れしないように案内するガイド機構（図示省略）を備えている。
【００１３】
したがって、図示引戸装置では、例えば閉時、引戸収容位置Ｄから手前の第２引戸Ｂを引き出すと、ワイヤー３０が図２中矢示する一方向に送られて回動し、これにより、第２引戸Ｂの動き出しに対し連動して第１引戸Ａが少し遅れて引き出される。そして、両引戸Ａ・Ｂを順次連動的にスライドさせて開口部Ｓを閉止する。
【００１４】
ところで、上述した本発明のワイヤー締着金具Ｒは、金属製の連結管３５と締付ねじ４０とからなる。連結管３５は、図１でも示すように、ワイヤー３０の端部が２つ重ねて挿通される口径サイズのワイヤー貫通穴３５ａと、ワイヤー貫通穴３５ａに対し直交する向きに穿設して貫通穴３５ａと連通した２つの雌ねじ穴３５ｂを設けて形成してなる。一方、締付ねじ４０は、連結管３５の雌ねじ穴３５ｂと対応する雄ねじ部４０ａを外周に螺刻している。そして、ねじ基端部４０ｂに、締付工具、例えばＬ棒状の六角レンチ４５の先端を嵌着させる断面多角形状、例えば断面六角形の嵌合穴４０ｃを設けて形成してなる。
【００１５】
そこで、図示引戸装置の組み立て時、第１引戸と第２引戸Ｂの上でワイヤー締着金具Ｒを用いてワイヤー３０を巻装するときは、ワイヤー３０を滑車１８・１９に巻き回し、第１引戸Ａの大きさに合わせて長さ調整しながら、ワイヤー３０の一端部を、連結管３５のワイヤー挿通穴３５ａに２つ重ねて通して環状に止め輪部分３０ａをつくってから、止め輪部分３０ａをワイヤーリング２５に引っ掛ける。次いで、ワイヤー３０が滑車１８・１９から外れないように引っ張りながら、雌ねじ穴３５ｂに先端を入れて締付ねじ４０を立ててから嵌合穴４０ｂに六角レンチ４５の先端を嵌着し、締付ねじ４０を捩じ込む。そして、締付ねじ４０を連結管３５の２つの雌ねじ穴３５ｂにそれぞれ捩じ込み、ねし先端部を押し付けてワイヤー３０の一端部を締着する。また、同様の手順を経て、ワイヤー３０の他端部も締付ねじ４０を捩じ込んで締着する。なお、締着後は、それぞれ余分なワイヤー部分を切り落す。
【００１６】
さて、上述した図示実施の形態では、端部に止め輪部分３０ａ・３０ｂのあるワイヤー３０を締着する例を示したが、本発明によるワイヤー用締着金具Ｒは、そのような場合に限らず、たとえば図３に示すように、単純に端部３０ｃ・３０ｄが直線的な状態のワイヤー３０を締着して連結するような場合にも、当然適用することができる。
【００１７】
図示他例では、ワイヤーの端部３０ｃ・３０ｄ同志を、連結管３５のワイヤー挿通穴３５ａに重ねて挿通し、嵌合穴４０ｃに上記六角レンチの先端を嵌着して締付ねじ４０を捩じ込み、そのねじ先端部で押し付けてワイヤー３０の端部を締着する。
【００１８】
【発明の効果】上述の如く構成した本発明によれば、次のような効果が得られる。
【００１９】
請求項１に記載の発明によれば、連動式引戸装置の組み立て時に引戸上でワイヤーを巻装する場合、締付ねじを捩じ込みねじ先端部でワイヤーを押し付けるだけで、ワイヤー端部が締着される構成であるため、作業者の熟練度に関係なく、締付ねじの捩じ込みでワイヤーを押し付けた手応えを基準にして、誰でもムラなく簡単に、且つ常に確実にワイヤーの端部を締着することができる。また、小型で簡易な六角レンチなどの締付工具を使って締付ねじを捩じ込むだけでよいことから、従来のように弛んだ巻装ワイヤーが動きやすい状態にあっても、作業しやすく、捩じ込み位置で常に正確にワイヤー端部を締着することができる。その結果、従来の如く締着不足が原因でワイヤーの端部がずれ動いてすり抜けたり、止め輪部分がワイヤーリングから外れたりする不具合の発生を防止することができる。
【図面の簡単な説明】
【図１】本発明のワイヤー用締着金具を用いて、ワイヤーを端部で締着する使用例を示す斜視図である。
【図２】上記ワイヤー用締着金具を備えた連動式引戸装置を示す斜視図である。
【図３】上記ワイヤー用締着金具を用いて、ワイヤーを端部で締着する他の使用例を示す斜視図である。
【図４】従来の連動式引戸装置において、引戸上で巻装してワイヤーの端部をカシメて締着する状態を示す斜視図である。
【符号の説明】
Ａ・Ｂ          引戸
Ｒ              ワイヤー締着金具
３０            ワイヤー
３５            連結管
３５ａ          ワイヤー挿通穴
３５ｂ          雌ねじ穴
４０            締付ねじ
４０ａ          雄ねじ部
４０ｂ          ねじ基端部
４０ｃ          嵌合穴
４５            六角レンチ（締付工具）
【図１】
2005009257.tif 000003
【図２】
2005009257.tif 000004
【図３】
2005009257.tif 000005
【図４】
2005009257.tif 000006